(57)【要約】【課題】視野角特性をより向上させることを可能にする。【解決手段】基板上に形成される複数の光出射部と、前記光出射部の上層に、複数の前記光出射部の各々に対応して設けられるカラーフィルタと、を備え、表示面内の少なくとも一部の領域において、積層方向と垂直な面内において前記光出射部の発光面の中心と前記光出射部に対応する前記カラーフィルタの中心との相対的な位置ずれが生じるように、前記光出射部及び前記カラーフィルタが配置される、表示装置を提供する。【選択図】図３
2017169563.tif 000002
【特許請求の範囲】
【請求項１】
基板上に形成される複数の光出射部と、
前記光出射部の上層に、複数の前記光出射部の各々に対応して設けられるカラーフィルタと、
を備え、
表示面内の少なくとも一部の領域において、積層方向と垂直な面内において前記光出射部の発光面の中心と前記光出射部に対応する前記カラーフィルタの中心との相対的な位置ずれが生じるように、前記光出射部及び前記カラーフィルタが配置される、
表示装置。
【請求項２】
複数の前記カラーフィルタの面積が前記表示面内で分布を有することにより、前記相対的な位置ずれが生じる、
請求項１に記載の表示装置。
【請求項３】
前記表示面内に複数の領域が設定され、隣り合う前記領域間に位置する前記カラーフィルタの面積が、他の前記カラーフィルタの面積と異なることにより、領域ごとに互いに異なる位置ずれ量で、前記相対的な位置ずれが生じる、
請求項２に記載の表示装置。
【請求項４】
複数の前記カラーフィルタの面積が前記表示面内で徐々に変化することにより、前記相対的な位置ずれが生じる、
請求項２に記載の表示装置。
【請求項５】
前記基板上において前記光出射部が配列されるピッチが、少なくとも一部領域において他の領域における前記ピッチと異なることにより、前記相対的な位置ずれが生じる、
請求項１に記載の表示装置。
【請求項６】
前記相対的な位置ずれの位置ずれ量は、前記表示面の外縁に向かうにつれて大きくなる、
請求項１に記載の表示装置。
【請求項７】
前記相対的な位置ずれにおける位置ずれ量、及び積層方向と垂直な面内における前記光出射部の発光面の中心に対する前記光出射部に対応する前記カラーフィルタの中心の位置ずれ方向は、前記相対的な位置ずれが生じている前記光出射部及び前記カラーフィルタによって構成される画素に求められる視野角に応じて設定される、
請求項１に記載の表示装置。
【請求項８】
前記相対的な位置ずれにおいて、積層方向と垂直な面内における前記光出射部の発光面の中心に対する前記光出射部に対応する前記カラーフィルタの中心の位置ずれ方向は、前記表示面の中心から、前記表示面内において前記相対的な位置ずれが生じている前記光出射部及び前記カラーフィルタが存在する位置に向かう方向である、
請求項１に記載の表示装置。
【請求項９】
前記光出射部の直上に設けられ、上方に向かうにつれて積層方向と垂直な面内方向の断面積が徐々に大きくなる略切頭錐体形状を有し、前記光出射部からの出射光を伝播する第１部材と、
隣り合う前記光出射部の間において、前記第１部材と前記第１部材との間に設けられる第２部材と、
を更に備え、
前記第１部材の屈折率は、前記第２部材の屈折率よりも大きい、
請求項１に記載の表示装置。
【請求項１０】
前記光出射部は、有機発光ダイオードからなる発光素子であり、
前記表示装置は、有機ＥＬディスプレイである、
請求項１に記載の表示装置。
【請求項１１】
画像信号に基づいて表示を行う表示装置、
を備え、
前記表示装置は、
基板上に形成される複数の光出射部と、
前記光出射部の上層に、複数の前記光出射部の各々に対応して設けられるカラーフィルタと、
を備え、
表示面内の少なくとも一部の領域において、積層方向と垂直な面内において前記光出射部の発光面の中心と前記光出射部に対応する前記カラーフィルタの中心との相対的な位置ずれが生じるように、前記光出射部及び前記カラーフィルタが配置される、
電子機器。
【発明の詳細な説明】
【技術分野】
【０００１】
本開示は、表示装置及び電子機器に関する。
【背景技術】
【０００２】
表示装置において、視野角特性を向上させるための様々な技術が開発されている。例えば、特許文献１には、複数の単色（赤色、緑色及び青色）の自発光素子の混色によって白色又は中間色を表現する表示装置において、発光領域の端から、当該発光領域の上層に設けられる遮光層の開口部の端までの距離が、赤色の発光領域、緑色の発光領域及び青色の発光領域のそれぞれについて異なっている表示装置が開示されている。特許文献１に記載の表示装置によれば、遮光層の開口部の面積を工夫することにより当該遮光層の遮光による輝度低下の割合を各色で異ならせることができるため、各色の視野角特性の差を低減することができる。従って、白色又は中間色の視野角による色度変化を抑制することが可能になる。
【先行技術文献】
【特許文献】
【０００３】
【特許文献１】特開２０１１−４０３５２号公報
【発明の概要】
【発明が解決しようとする課題】
【０００４】
ここで、近年、例えばヘッドマウントディスプレイ（ＨＭＤ：Ｈｅａｄ  Ｍｏｕｎｔｅｄ  Ｄｉｓｐｌａｙ）やデジタルカメラの電子ビューファインダ（ＥＶＦ：Ｅｌｅｃｔｒｏｎｉｃ  Ｖｉｅｗ  Ｆｉｎｄｅｒ）等、比較的小面積の表示面を有する表示装置（以下、簡単のため、単に小型の表示装置ともいう）が電子機器に搭載されることが増えている。このような電子機器では、当該表示装置の表示面からの光線が、レンズ、ミラー及び回折格子等の光学系を介してユーザの眼球に結像されるが、当該電子機器の更なる軽量化、小型化の要請から、当該光学系も縮小する傾向にある。光学系が縮小されると、より簡易な構成の光学系によってユーザの眼球に光線を適切に結像させる必要が生じるため、当該光学系の構成を工夫することによって当該表示装置の視野角特性を補うことが難しく、表示装置の視野角特性が、直接、ユーザによって視認される表示の品質につながってしまう。従って、表示装置には、その用途によっては、より一層の視野角特性の向上が求められている。【０００５】
そこで、本開示では、視野角特性をより向上させることが可能な、新規かつ改良された表示装置、及び当該表示装置が搭載された電子機器を提案する。
【課題を解決するための手段】
【０００６】
本開示によれば、基板上に形成される複数の光出射部と、前記光出射部の上層に、複数の前記光出射部の各々に対応して設けられるカラーフィルタと、を備え、表示面内の少なくとも一部の領域において、積層方向と垂直な面内において前記光出射部の発光面の中心と前記光出射部に対応する前記カラーフィルタの中心との相対的な位置ずれが生じるように、前記光出射部及び前記カラーフィルタが配置される、表示装置が提供される。【０００７】
また、本開示によれば、画像信号に基づいて表示を行う表示装置、を備え、前記表示装置は、基板上に形成される複数の光出射部と、前記光出射部の上層に、複数の前記光出射部の各々に対応して設けられるカラーフィルタと、を備え、表示面内の少なくとも一部の領域において、積層方向と垂直な面内において前記光出射部の発光面の中心と前記光出射部に対応する前記カラーフィルタの中心との相対的な位置ずれが生じるように、前記光出射部及び前記カラーフィルタが配置される、電子機器が提供される。【０００８】
本開示によれば、表示装置の表示面内の少なくとも一部の領域において、積層方向と垂直な面内において光出射部（例えば、有機ＥＬディスプレイであれば発光素子）の発光面の中心と当該光出射部に対応するカラーフィルタの中心との相対的な位置ずれが生じるように、当該光出射部及び当該カラーフィルタが配置される。従って、当該光出射部及び当該カラーフィルタからなる画素について、当該光出射部の発光面に対する当該カラーフィルタの位置ずれ方向において、より広い視野角特性を実現することが可能になる。
【発明の効果】
【０００９】
以上説明したように本開示によれば、視野角特性をより向上させることが可能になる。なお、上記の効果は必ずしも限定的なものではなく、上記の効果とともに、又は上記の効果に代えて、本明細書に示されたいずれかの効果、又は本明細書から把握され得る他の効果が奏されてもよい。
【図面の簡単な説明】
【００１０】
【図１】光学系が縮小された場合における、電子機器内における小型の表示装置からユーザの眼球への光線の軌跡を模擬的に示す図である。
【図２】本実施形態に係る表示装置の一構成例を示す断面図である。
【図３】本実施形態に係る表示装置において、発光素子とＣＦとの相対的な位置ずれを生じさせることによって奏する効果について説明するための図である。
【図４】一般的な表示装置の構成を簡略化して概略的に示す図である。
【図５】表示装置の表示面内におけるＣＦの位置ずれ量Ｌ及び位置ずれ方向の分布について説明するための図である。
【図６】ＣＦの位置ずれ量Ｌ及び／又は位置ずれ方向が変化する遷移領域について説明するための図である。
【図７】ＣＦの位置ずれ量Ｌ及び／又は位置ずれ方向が変化する遷移領域について説明するための図である。
【図８】ＣＦの位置ずれ量Ｌの設定方法について説明するための図である。
【図９】ＣＦの位置ずれ量Ｌの設定方法について説明するための図である。
【図１０】ＣＦの位置ずれ量Ｌの設定方法について説明するための図である。
【図１１】ＣＦの位置ずれ量Ｌの設定方法について説明するための図である。
【図１２】発光素子とＣＦとの相対的な位置ずれを生じさせる他の方法について説明するための図である。
【図１３】リフレクタが設けられない変形例に係る表示装置の一構成例を示す図である。
【図１４】発光部からの出射光がＣＦの側面に入射する場合も考慮したＣＦの位置ずれ量Ｌの設定方法について説明するための図である。
【図１５】本実施形態及び各変形例に係る表示装置が適用され得る電子機器の一例である、スマートフォンの外観を示す図である。
【図１６】本実施形態及び各変形例に係る表示装置が適用され得る電子機器の他の例である、デジタルカメラの外観を示す図である。
【図１７】本実施形態及び各変形例に係る表示装置が適用され得る電子機器の他の例である、デジタルカメラの外観を示す図である。
【図１８】本実施形態及び各変形例に係る表示装置が適用され得る電子機器の他の例である、ＨＭＤの外観を示す図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．本開示に想到した背景
２．表示装置の構成
３．ＣＦの位置ずれ量について
４．変形例
４−１．発光素子とＣＦとの相対的な位置ずれの発生方法
４−２．リフレクタが設けられない構成
４−３．位置ずれ量Ｌの他の設定方法
５．適用例
６．補足
【００１３】
（１．本開示に想到した背景）
本開示の好適な実施形態について説明するに先立ち、本開示をより明確なものとするために、本発明者らが本開示に想到した背景について説明する。
【００１４】
上述したように、ＨＭＤやデジタルカメラのＥＶＦ等の用途においては、小型の表示装置が電子機器に搭載され得る。このような電子機器では、当該表示装置の表示面からの光線が、レンズ、ミラー及び回折格子等の光学系を介してユーザの眼球に結像される。一方、近年、ユーザの負担軽減のために、電子機器の更なる軽量化、小型化に対する要請が大きい。電子機器の軽量化、小型化を実現するために、搭載される光学系にもより一層の小型化が求められている。
【００１５】
図１は、光学系が縮小された場合における、電子機器内における小型の表示装置からユーザの眼球への光線の軌跡を模擬的に示す図である。図１に示すように、電子機器の軽量化、小型化を実現するためには、光学系１０５を縮小するとともに、光学系１０５と表示装置１との間の距離をより狭くする必要がある。また、光学系１０５を複雑な構成にすることができないため、光学系１０５の構成を工夫することによって、表示装置１の視野角特性を補うことも困難である。従って、表示装置１の表示面１０１から出射される光線のうちより広い角度の光線（すなわち、より広視野角の光線）は、ほぼ表示装置１の表示面１０１から出射された特性のまま、ユーザの眼球１０３に導かれることとなる。以上の理由から、小型の表示装置１が用いられた電子機器において光学系１０５を縮小しようとする場合には、ユーザに対して高品質な表示を提供するために、表示装置１について、より広い視野角においても所望の特性を有する光線が出射され得ること、すなわち、より優れた広視野角特性を有することが要求されることとなる。
【００１６】
ここで、白色発光素子の上層にカラーフィルタ（ＣＦ）を設けることにより画素を形成し、画素ごとに当該ＣＦによる色変換を行うことによりカラー表示を行う方式の表示装置が一般的に知られている。このような方式の表示装置において広視野角を実現しようとすると、一の発光素子からの光が隣接画素のＣＦに入射してしまい、所望の色の発光が実現されない、いわゆる混色の発生が問題となる。
【００１７】
これに対して、これまでに、混色を抑制するための各種の方法が提案されている。例えば、発光素子とＣＦとの間の距離（対向Ｇａｐ）を画素サイズに比べて小さくする方法が知られている。あるいは、発光素子の発光面の面積を、ＣＦの面積（積層方向と垂直な面内における面積）と比較して十分に小さくする方法が知られている。
【００１８】
しかしながら、これらの方法には以下の欠点が存在する。例えば、表示装置が有機発光ダイオード（ＯＬＥＤ：Ｏｒｇａｎｉｃ  Ｌｉｇｈｔ−Ｅｍｉｔｔｉｎｇ  Ｄｉｏｄｅ）を用いた表示装置（すなわち、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ））である場合に、狭対向Ｇａｐの構造を実現しようとすると、電極層、保護層及びＣＦ接着層を薄膜化する必要があるため、ＯＬＥＤの発光特性や保護性が大幅に低下する恐れがある。また、発光素子の発光面の面積を小さくすることは、開口率を小さくすることにつながるため、輝度が大きく低下する恐れがある。
【００１９】
以上説明したように、例えば電子機器に搭載されるような小型の表示装置についてはより一層の広視野角特性の向上が望まれているものの、これまで一般的に提案されている混色を抑制しつつ広視野角を実現するための方法では、他の特性が低下してしまう恐れがあった。上記事情に鑑みて、本発明者らは、表示装置において、混色の発生を抑制するとともに、輝度の低下等の上述したような他の特性の低下を引き起こすことなく、広視野角特性をより向上されることを可能とする技術について鋭意検討した結果、本開示に想到した。
【００２０】
以下では、本発明者らが想到した、本開示の好適な実施形態について詳細に説明する。なお、以下では、本開示の一例として、表示装置が有機ＥＬディスプレイである実施形態について説明する。ただし、本開示はかかる例に限定されず、本開示の対象となる表示装置は、液晶ディスプレイ、プラズマディスプレイ及び電子ペーパー等、ＣＦを用いてカラー表示を実現し得る表示装置であれば、各種の表示装置であってよい。
【００２１】
（２．表示装置の構成）
図２を参照して、本開示の好適な一実施形態に係る表示装置の構成について説明する。図２は、本実施形態に係る表示装置の一構成例を示す断面図である。図２では、本実施形態に係る表示装置の模式的な一部断面図を示している。
【００２２】
図２を参照すると、本実施形態に係る表示装置１は、第１基板１１上に、ＯＬＥＤからなる白色光を発する複数の発光素子１０と、当該発光素子１０の上層に設けられ、当該発光素子１０の各々に対応して各色のＣＦが形成されるＣＦ層３３と、を備える。また、ＣＦ層３３の上層には、発光素子１０からの光に対して透明な材料で形成される第２基板３４が配置される。また、第１基板１１には、発光素子１０の各々に対応して、当該発光素子１０を駆動するための薄膜トランジスタ（ＴＦＴ：Ｔｈｉｎ  Ｆｉｌｍ  ｔｒａｎｓｉｓｔｏｒ）１５が設けられる。ＴＦＴ１５によって任意の発光素子１０が選択的に駆動され、駆動された当該発光素子１０からの光が対応するＣＦを通過してその色が適宜変換され、第２基板３４を介して上方から出射されることにより、所望の画像、文字等が表示される。
【００２３】
なお、以下の説明では、表示装置１における各層の積層方向を上下方向とも呼称する。その際、第１基板１１が配置される方向を下方向とし、第２基板３４が配置される方向を上方向とする。また、上下方向に垂直な面のことを水平面とも呼称する。
【００２４】
このように、図２に示す表示装置１は、カラー表示可能な、アクティブマトリックス方式で駆動される上面発光型の表示装置である。ただし、本実施形態はかかる例に限定されず、本実施形態に係る表示装置は、パッシブマトリックス方式等他の方式によって駆動される表示装置であってもよいし、第１基板１１を介して光が出射される下面発光型の表示装置であってもよい。
【００２５】
なお、表示装置１は、表示機能を有する各種の電子機器に搭載され得る。具体的には、例えば、表示装置１は、テレビジョン装置、電子ブック、スマートフォン、携帯情報端末（ＰＤＡ：Ｐｅｒｓｏｎａｌ  Ｄｉｇｉｔａｌ  Ａｓｓｉｓｔａｎｔ）、ノート型ＰＣ（Ｐｅｒｓｏｎａｌ  Ｃｏｍｐｕｔｅｒ）、ビデオカメラ、又はゲーム機器等に組み込まれるモニタ装置として使用することができる。あるいは、表示装置１は、デジタルカメラのＥＶＦ、又はＨＭＤ等に適用することができる。後述するように、表示装置１は、複雑な光学系を設けなくても優れた広視野角特性を有するため、これらの電子機器の中でも、軽量化、小型化がより要求される、ユーザが携帯して用いる電子機器（上述した例の中であれば、スマートフォン、ＰＤＡ、デジタルカメラ、又はＨＭＤ等）に好適に適用され得る。
【００２６】
（第１基板及び第２基板）
図示する構成例では、第１基板１１はシリコン基板から構成される。また、第２基板３４は石英ガラスから構成される。ただし、本実施形態はかかる例に限定されず、第１基板１１及び第２基板３４としては、各種の公知の材料が用いられてよい。例えば、第１基板１１及び第２基板３４は、高歪点ガラス基板、ソーダガラス（Ｎａ２Ｏ、ＣａＯ及びＳｉＯ２の混合物）基板、硼珪酸ガラス（Ｎａ２Ｏ、Ｂ２Ｏ３及びＳｉＯ２の混合物）基板、フォルステライト（Ｍｇ２ＳｉＯ４）基板、鉛ガラス（Ｎａ２Ｏ、ＰｂＯ及びＳｉＯ２の混合物）基板、表面に絶縁膜が形成された各種ガラス基板、石英基板、表面に絶縁膜が形成された石英基板、表面に絶縁膜が形成されたシリコン基板、又は有機ポリマー基板（例えば、ポリメチルメタクリレート（ポリメタクリル酸メチル：ＰＭＭＡ）、ポリビニルアルコール（ＰＶＡ）、ポリビニルフェノール（ＰＶＰ）、ポリエーテルスルホン（ＰＥＳ）、ポリイミド、ポリカーボネート、若しくはポリエチレンテレフタレート（ＰＥＴ）等）によって形成され得る。第１基板１１と第２基板３４を構成する材料は、同じであってもよいし、異なっていてもよい。ただし、上述したように表示装置１は上面発光型であるから、第２基板３４は、発光素子１０からの光を好適に透過し得る、透過率の高い材料によって形成されることが好ましい。
【００２７】
（発光素子及び第２部材）
発光素子１０は、第１電極２１と、第１電極２１の上に設けられる有機層２３と、有機層２３上に形成される第２電極２２と、を有する。より具体的には、第１電極２１の上に、当該第１電極２１の少なくとも一部を露出するように開口部２５が設けられる第２部材５２が積層されており、有機層２３は、当該開口部２５の底部において露出した第１電極２１の上に設けられる。つまり、発光素子１０は、第２部材５２の開口部２５において、第１電極２１、有機層２３及び第２電極２２がこの順に積層された構成を有する。この積層構造が各画素の発光部２４として機能する。つまり、発光素子１０の、第２部材５２の開口部２５に当たる部分が発光面となる。また、第２部材５２は、画素間に設けられ画素の面積を画定する画素定義膜として機能する。
【００２８】
有機層２３は、有機発光材料からなる発光層を備え、白色光を発光可能に構成される。有機層２３の具体的な構成は限定されず、各種の公知な構成であってよい。例えば、有機層２３は、正孔輸送層と発光層と電子輸送層との積層構造、正孔輸送層と電子輸送層を兼ねた発光層との積層構造、又は正孔注入層と正孔輸送層と発光層と電子輸送層と電子注入層との積層構造等から構成することができる。また、これらの積層構造等を「タンデムユニット」とする場合、有機層２３は、第１のタンデムユニット、接続層、及び第２のタンデムユニットが積層された２段のタンデム構造を有してもよい。あるいは、有機層２３は、３つ以上のタンデムユニットが積層された３段以上のタンデム構造を有してもよい。有機層２３が複数のタンデムユニットからなる場合には、発光層の発光色を赤色、緑色、青色と各タンデムユニットで変えることで、全体として白色を発光する有機層２３を得ることができる。
【００２９】
図示する構成例では、有機層２３は、有機材料を真空蒸着することによって形成される。ただし、本実施形態はかかる例に限定されず、有機層２３は各種の公知の方法によって形成されてよい。例えば、有機層２３の形成方法としては、真空蒸着法等の物理的気相成長法（ＰＶＤ法）、スクリーン印刷法やインクジェット印刷法といった印刷法、転写用基板上に形成されたレーザ吸収層と有機層の積層構造に対してレーザを照射することでレーザ吸収層上の有機層を分離して当該有機層を転写するレーザ転写法、又は各種の塗布法等を用いることができる。
【００３０】
第１電極２１は、アノードとして機能する。上述したように表示装置１は上面発光型であるから、第１電極２１は、有機層２３からの光を反射し得る材料によって形成される。図示する構成例では、第１電極２１はアルミニウムとネオジムとの合金（Ａｌ−Ｎｄ合金）によって形成される。また、第１電極２１の膜厚は、例えば０．１μｍ〜１μｍ程度である。ただし、本実施形態はかかる例に限定されず、第１電極２１は、一般的な有機ＥＬディスプレイにおいてアノードとして機能する光反射側の電極の材料として用いられている各種の公知の材料によって形成することができる。また、第１電極２１の膜厚も上記の例に限定されず、第１電極２１は、一般的に有機ＥＬディスプレイにおいて採用されている膜厚の範囲で適宜形成され得る。
【００３１】
例えば、第１電極２１は、白金（Ｐｔ）、金（Ａｕ）、銀（Ａｇ）、クロム（Ｃｒ）、タングステン（Ｗ）、ニッケル（Ｎｉ）、銅（Ｃｕ）、鉄（Ｆｅ）、コバルト（Ｃｏ）、若しくはタンタル（Ｔａ）といった仕事関数の高い金属、又は合金（例えば、銀を主成分とし、０．３質量％〜１質量％のパラジウム（Ｐｄ）と、０．３質量％〜１質量％の銅とを含むＡｇ−Ｐｄ−Ｃｕ合金、又はＡｌ−Ｎｄ合金等）によって形成され得る。あるいは、第１電極２１としては、アルミニウム又はアルミニウムを含む合金等の仕事関数の値が小さく、かつ光反射率の高い導電材料を用いることができる。この場合には、第１電極２１上に適切な正孔注入層を設けるなどして正孔注入性を向上させることが好ましい。あるいは、第１電極２１は、誘電体多層膜やアルミニウムといった光反射性の高い反射膜上に、インジウムとスズの酸化物（ＩＴＯ）やインジウムと亜鉛の酸化物（ＩＺＯ）等の正孔注入特性に優れた透明導電材料を積層した構造とすることもできる。
【００３２】
第２電極２２は、カソードとして機能する。上述したように表示装置１は上面発光型であるから、第２電極２２は、有機層２３からの光を透過し得る材料によって形成される。図示する構成例では、第２電極２２はマグネシウムと銀との合金（Ｍｇ−Ａｇ合金）によって形成される。また、第２電極２２の膜厚は、例えば１０ｎｍ程度である。ただし、本実施形態はかかる例に限定されず、第２電極２２は、一般的な有機ＥＬディスプレイにおいてカソードとして機能する光透過側の電極の材料として用いられている各種の公知の材料によって形成することができる。また、第２電極２２の膜厚も上記の例に限定されず、第２電極２２は、一般的に有機ＥＬディスプレイにおいて採用されている膜厚の範囲で適宜形成され得る。
【００３３】
例えば、第２電極２２は、アルミニウム、銀、マグネシウム、カルシウム（Ｃａ）、ナトリウム（Ｎａ）、ストロンチウム（Ｓｒ）、アルカリ金属と銀との合金、アルカリ土類金属と銀との合金（例えば、マグネシウムと銀との合金（Ｍｇ−Ａｇ合金））、マグネシウムとカルシウムとの合金（Ｍｇ−Ｃａ合金）、アルミニウムとリチウムとの合金（Ａｌ−Ｌｉ合金）等によって形成され得る。これらの材料を単層で用いる場合には、第２電極２２の膜厚は、例えば４ｎｍ〜５０ｎｍ程度である。あるいは、第２電極２２は、有機層２３側から、上述した材料層と、例えばＩＴＯやＩＺＯからなる透明電極（例えば、厚さ３０ｎｍ〜１μｍ程度）とが積層された構造とすることもできる。このような積層構造とした場合には、上述した材料層の厚さを例えば１ｎｍ〜４ｎｍ程度と薄くすることもできる。あるいは、第２電極２２は、透明電極のみで構成されてもよい。あるいは、第２電極２２に対して、アルミニウム、アルミニウム合金、銀、銀合金、銅、銅合金、金、金合金等の低抵抗材料から成るバス電極（補助電極）を設け、第２電極２２全体として低抵抗化を図ってもよい。
【００３４】
図示する構成例では、第１電極２１及び第２電極２２は、真空蒸着法によって所定の厚さだけ材料を成膜した後に、当該膜をエッチング法によってパターニングすることにより形成される。ただし、本実施形態はかかる例に限定されず、第１電極２１及び第２電極２２は、各種の公知の方法によって形成されてよい。第１電極２１及び第２電極２２の形成方法としては、例えば、電子ビーム蒸着法、熱フィラメント蒸着法、真空蒸着法を含む蒸着法、スパッタリング法、化学的気相成長法（ＣＶＤ法）、有機金属化学気相蒸着法（ＭＯＣＶＤ法）、イオンプレーティング法とエッチング法との組合せ、各種の印刷法（例えば、スクリーン印刷法、インクジェット印刷法、若しくはメタルマスク印刷法等）、メッキ法（電気メッキ法、若しくは無電解メッキ法等）、リフトオフ法、レーザアブレーション法、又はゾルゲル法等を挙げることができる。
【００３５】
第２部材５２は、ＳｉＯ２をＣＶＤ法によって所定の膜厚だけ成膜し、その後当該ＳｉＯ２膜をフォトリソグラフィ技術及びエッチング技術を用いてパターニングすることにより形成される。ただし、第２部材５２の材料はかかる例に限定されず、第２部材５２の材料としては、絶縁性を有する各種の材料を用いることができる。例えば、第２部材５２を構成する材料としては、ＳｉＯ２、ＭｇＦ、ＬｉＦ、ポリイミド樹脂、アクリル樹脂、フッ素樹脂、シリコーン樹脂、フッ素系ポリマー、又はシリコーン系ポリマー等を挙げることができる。ただし、後述するように、第２部材５２は、第１部材５１の材料よりも屈折率が低い材料によって形成される。
【００３６】
（発光素子よりも下層の構成）
第１基板１１において、発光素子１０を構成する第１電極２１は、ＳｉＯＮからなる層間絶縁層１６上に設けられている。そして、この層間絶縁層１６は、第１基板１１上に形成された発光素子駆動部を覆っている。
【００３７】
発光素子駆動部は、複数のＴＦＴ１５から構成される。図示する例では、１つの発光素子１０につき、１つのＴＦＴ１５が設けられている。ＴＦＴ１５は、第１基板１１上に形成されるゲート電極１２、第１基板１１及びゲート電極１２上に形成されるゲート絶縁膜１３、並びにゲート絶縁膜１３上に形成される半導体層１４から構成される。半導体層１４のうち、ゲート電極１２の直上に位置する領域がチャネル領域１４Ａとして機能し、当該チャネル領域１４Ａを挟むように位置する領域がソース／ドレイン領域１４Ｂとして機能する。なお、図示する例では、ＴＦＴ１５はバックゲート型であるが、本実施形態はかかる例に限定されず、ＴＦＴ１５はボトムゲート型であってもよい。
【００３８】
半導体層１４の上層に、ＣＶＤ法によって２層からなる層間絶縁層１６（下層層間絶縁層１６Ａ及び上層層間絶縁層１６Ｂ）が積層される。その際、下層層間絶縁層１６Ａが積層された後、当該下層層間絶縁層１６Ａのソース／ドレイン領域１４Ｂに当たる部分に、例えばフォトリソグラフィ技術及びエッチング技術を用いて当該ソース／ドレイン領域１４Ｂを露出させるようにコンタクトホール１７が設けられ、当該コンタクトホール１７を埋め込むようにアルミニウムからなる配線１８が形成される。配線１８は、例えば真空蒸着法とエッチング法とを組み合わせて形成される。その後、上層層間絶縁層１６Ｂが積層される。
【００３９】
上層層間絶縁層１６Ｂの配線１８が設けられる部分には、例えばフォトリソグラフィ技術及びエッチング技術を用いて当該配線１８を露出させるようにコンタクトホール１９が設けられる。そして、発光素子１０の第１電極２１を形成する際には、当該第１電極２１がコンタクトホール１９を介して配線１８と接触するように形成される。このように、発光素子１０は、その第１電極２１が、配線１８を介してＴＥＴ１５のソース／ドレイン領域１４Ｂと電気的に接続される。ＴＦＴ１５のゲート電極１２は、走査回路（図示せず）に接続されている。当該走査回路から適切なタイミングで各ＴＦＴ１５に電流が印加されることにより、各ＴＦＴ１５が駆動され、全体として所望の画像、文字等が表示されるように各発光素子１０が発光する。適切な表示を得るためのＴＦＴ１５の駆動方法（すなわち、表示装置１の駆動方法）としては、各種の公知の方法を用いることができるため、ここでは詳細な説明を省略する。
【００４０】
なお、上記の例では層間絶縁層１６をＳｉＯＮによって構成していたが、本実施形態はかかる例に限定されない。層間絶縁層１６は、一般的な有機ＥＬディスプレイにおいて層間絶縁層として用いられ得る各種の公知の材料によって形成されてよい。例えば、層間絶縁層１６の構成材料としては、ＳｉＯ２系材料（例えば、ＳｉＯ２、ＢＰＳＧ、ＰＳＧ、ＢＳＧ、ＡｓＳＧ、ＰｂＳＧ、ＳｉＯＮ、ＳＯＧ（スピンオングラス）、低融点ガラス、又はガラスペースト等）、ＳｉＮ系材料、絶縁性樹脂（例えば、ポリイミド樹脂、ノボラック系樹脂、アクリル系樹脂、ポリベンゾオキサゾール等）を、単独で、あるいは適宜組み合わせて使用することができる。また、層間絶縁層１６の形成方法も上記の例に限定されず、層間絶縁層１６の形成には、ＣＶＤ法、塗布法、スパッタリング法、又は各種印刷法等の公知の方法を用いることができる。更に、上記の例では、配線１８を、アルミニウムを真空蒸着法及びエッチング法によって成膜及びパターニングすることによって形成していたが、本実施形態はかかる例に限定されない。配線１８は、一般的な有機ＥＬディスプレイにおいて配線として用いられる各種の材料を各種の方法によって成膜及びパターニングすることによって形成されてよい。
【００４１】
（発光素子よりも上層の構成）
発光素子１０の第２部材５２に設けられる開口部２５は、その側壁が、下方に向かうにつれて開口面積が増加するように傾斜したテーパ形状を有するように形成される。そして、当該開口部２５に第１部材５１が埋め込まれる。つまり、第１部材５１は、発光素子１０の発光面の直上に設けられる、発光素子からの出射光を上方に向かって伝播する層である。また、第２部材５２の開口部２５を上記のように形成することにより、第１部材５１は、その積層方向における断面形状（すなわち、図示する断面形状）が略台形を有し、上方に底面を向けた切頭錐体形状を有する。
【００４２】
第１部材５１は、Ｓｉ１−ｘＮｘを真空蒸着法によって開口部２５を埋め込むように成膜し、その後当該Ｓｉ１−ｘＮｘ膜の表面を化学機械研磨法（ＣＭＰ法）等によって平坦化することにより形成される。ただし、第１部材５１の材料はかかる例に限定されず、第１部材５１の材料としては、絶縁性を有する各種の材料を用いることができる。例えば、第１部材５１を構成する材料としては、Ｓｉ１−ｘＮｘ、ＩＴＯ、ＩＺＯ、ＴｉＯ２、Ｎｂ２Ｏ５、臭素含有ポリマー、硫黄含有ポリマー、チタン含有ポリマー、又はジルコニウム含有ポリマー等を挙げることができる。第１部材５１の形成方法もかかる例に限定されず、第１部材５１の形成方法としては、各種の公知の方法が用いられてよい。
【００４３】
ただし、本実施形態では、第１部材５１の屈折率ｎ１と、第２部材５２の屈折率ｎ２とがｎ１＞ｎ２の関係を満たすように、第１部材５１及び第２部材５２の材料が選択される。屈折率が上記の関係を満たすように第１部材５１及び第２部材５２の材料を選択することにより、第１部材５１と対向する第２部材５２の表面において、第１部材５１を伝播した光が少なくとも一部反射されることとなる。より具体的には、第１部材５１と第２部材５２との間には、発光素子１０の有機層２３及び第２電極２２が形成されているので、第２部材５２と有機層２３との界面において、第１部材５１を伝播した光が少なくとも一部反射される。つまり、第１部材５１と対向する第２部材５２の表面は光反射部（リフレクタ）５３として機能する。
【００４４】
本実施形態では、上記のように第１部材５１は発光素子１０の発光面の直上に設けられる。そして、第１部材５１は上方に底面を向けた切頭錐体形状を有するため、発光素子１０の発光面から出射された光は、第１部材５１と第２部材５２との界面、すなわちリフレクタ５３によって、光出射方向である上方に向かって反射されることとなる。このように、本実施形態によれば、リフレクタ５３を設けることにより、発光素子１０からの出射光の取り出し効率を向上させることができ、表示装置１全体としての輝度を向上させることができる。
【００４５】
なお、本発明者らによる検討の結果、発光素子１０からの出射光の取り出し効率をより好適に向上させるためには、第１部材５１及び第２部材５２の屈折率は、ｎ１−ｎ２≧０．２０の関係を満たすことが好ましい。更に好ましくは、第１部材５１及び第２部材５２の屈折率は、ｎ１−ｎ２≧０．３０の関係を満たすことが望ましい。更に、発光素子１０からの出射光の取り出し効率をより向上させるためには、第１部材５１の形状が、０．５≦Ｒ１／Ｒ２≦０．８、かつ０．５≦Ｈ／Ｒ１≦０．８の関係を満たすことが好ましい。ここで、Ｒ１は第１部材５１の光入射面（すなわち、積層方向における下方を向いた部位であって、発光素子１０の発光面と対向する面）の直径、Ｒ２は第１部材５１の光出射面（すなわち、積層方向における上方を向いた面）の直径、Ｈは第１部材５１を切頭錐体とみなした場合の底面と上面との距離（積層方向における高さ）である。
【００４６】
平坦化された第１部材５１の上層には、保護膜３１及び平坦化膜３２がこの順に積層される。保護膜３１は、例えば、Ｓｉ１−ｙＮｙを真空蒸着法によって所定の膜厚（３．０μｍ程度）だけ積層することによって形成される。また、平坦化膜３２は、例えば、ＳｉＯ２をＣＶＤ法によって所定の膜厚（２．０μｍ程度）だけ積層し、その表面をＣＭＰ法等によって平坦化することによって形成される。
【００４７】
ただし、保護膜３１及び平坦化膜３２の材料及び膜厚はかかる例に限定されず、保護膜３１及び平坦化膜３２は、一般的な有機ＥＬディスプレイの保護膜及び平坦化膜として用いられている各種の公知の材料によって、一般的に有機ＥＬディスプレイにおいて採用されている膜厚を有するように適宜形成されてよい。
【００４８】
ただし、本実施形態では、好適に、保護膜３１の屈折率ｎ３が、第１部材５１の屈折率ｎ１と同等又は第１部材５１の屈折率ｎ１よりも小さくなるように、保護膜３１の材料が選択される。更に、好適に、保護膜３１の屈折率ｎ３と、平坦化膜３２の屈折率ｎ４との差分の絶対値が０．３０以下、より好ましくは０．２０以下になるように、保護膜３１及び平坦化膜３２の材料が選択される。このように保護膜３１及び平坦化膜３２の材料を選択することにより、発光素子１０からの出射光が、第１部材５１と保護膜３１との界面、及び保護膜３１と平坦化膜３２との界面において反射または散乱されることを抑制することができ、光取り出し効率を更に向上させることができる。
【００４９】
なお、表示装置１の第１基板１１から保護膜３１までの構成、特にリフレクタ５３の構成としては、例えば本出願人による先行出願である、特開２０１３−１９１５３３号公報に開示されている表示装置の構成を適用することができる。
【００５０】
平坦化膜３２の上層には、ＣＦ層３３が形成される。このように、表示装置１は、発光素子１０が形成される第１基板１１上にＣＦ層３３が形成される、いわゆるオンチップカラーフィルタ（ＯＣＣＦ）方式の表示装置である。ＣＦ層３３の上層に、例えばエポキシ樹脂等の封止樹脂膜３５を介して第２基板３４が貼り合わされることにより、表示装置１が作製される。なお、封止樹脂膜３５の材料はかかる例に限定されず、封止樹脂膜３５の材料は、発光素子１０からの出射光に対する透過性が高いこと、下層に位置するＣＦ層３３及び上層に位置する第２基板３４との接着性に優れていること、及び下層に位置するＣＦ層３３との界面及び上層に位置する第２基板３４との界面における光の反射性が低いこと等を考慮して、適宜選択されてよい。
【００５１】
ＣＦ層３３は、発光素子１０の各々に対して所定の面積を有する各色のＣＦが設けられるように、形成される。ＣＦ層３３は、例えばレジスト材をフォトリソグラフィ技術で所定の形状に露光、現像することにより、形成され得る。また、ＣＦ層３３の膜厚は、例えば２μｍ程度である。ただし、ＣＦ層３３の材料、形成方法及び膜厚はかかる例に限定されず、ＣＦ層３３は、一般的な有機ＥＬディスプレイのＣＦ層として用いられている各種の公知の材料、及び各種の公知の方法によって、一般的に有機ＥＬディスプレイにおいて採用されている膜厚を有するように適宜形成されてよい。
【００５２】
図示する例では、ＣＦ層３３は、それぞれが所定の面積を有する赤色のＣＦ３３Ｒ、緑色のＣＦ３３Ｇ、及び青色のＣＦ３３Ｂが連続的に水平面内に分布するように構成されている。なお、以下の説明では、ＣＦ３３Ｒ、ＣＦ３３Ｇ及びＣＦ３３Ｂを特に区別する必要がない場合には、これらのうちの１つ又は複数を指して、単にＣＦ３３ａとも記載することとする。
【００５３】
１つの発光素子１０と１つのＣＦ３３ａとの組み合わせにより、１つの画素が形成される。なお、実際には、表示装置１では、ＣＦ３３Ｒが設けられる画素（すなわち、赤色の画素）、ＣＦ３３Ｇが設けられる画素（すなわち、緑色の画素）、ＣＦ３３Ｂが設けられる画素（すなわち、青色の画素）、及びＣＦ３３ａが設けられない画素（すなわち、白色の画素）の４色の副画素によって、１つの画素が形成され得る。ただし、本明細書では、説明のため、便宜的に、１つの発光素子１０と１つのＣＦ３３ａとの組み合わせのことも、単に画素と呼称することとする。また、表示装置１では、４色の副画素がいわゆるデルタ配列で配列され得る（後述する図６も参照）。
【００５４】
ここで、一般的な表示装置では、ある発光素子、及び当該発光素子に対応するＣＦは、水平面内における当該発光素子の発光面の中心と当該ＣＦの中心とが略一致するように配置される。一方、本実施形態に係る表示装置１では、表示面内の少なくとも一部領域において、ある発光素子１０、及び当該発光素子１０に対応するＣＦ３３ａが、水平面内において、当該発光素子１０の発光面の中心と、当該ＣＦ３３ａの中心との位置が相対的に所定の距離Ｌだけずれるように配置される。図示する例では、発光素子１０の発光面の中心に対して、当該発光素子１０に対応するＣＦ３３ａの中心が、紙面右方向に相対的にずれて配置されている。
【００５５】
なお、以下の説明では、水平面内における、発光素子１０の発光面の中心と、当該発光素子１０に対応するＣＦ３３ａの中心との相対的な位置ずれのことを、単に、発光素子１０とＣＦ３３ａとの相対的な位置ずれとも呼称する。また、当該発光素子１０とＣＦ３３ａとの相対的な位置ずれにおける、水平面内における発光素子１０の発光面の中心に対するＣＦ３３ａの相対的な位置ずれ量Ｌ及び位置ずれ方向のことを、単に、ＣＦ３３ａの位置ずれ量Ｌ及びＣＦ３３ａの位置ずれ方向とも呼称する。
【００５６】
図３は、本実施形態に係る表示装置１において、発光素子１０とＣＦ３３ａとの相対的な位置ずれを生じさせることによって奏する効果について説明するための図である。図３では、図２に示す表示装置１の断面を簡略化し、第１基板１１、発光素子１０、第２部材５２、及びＣＦ層３３のみを図示している。また、図４は、比較のための図であり、一般的な表示装置６の構成を簡略化して概略的に示す図である。図４に示す一般的な表示装置６は、発光素子１０とＣＦ３３ａとの相対的な位置ずれが生じていない（すなわち、水平面内における、発光素子の発光面の中心と、当該発光素子に対応するＣＦの中心とが略一致している）ことを除けば、本実施形態に係る表示装置１と同様の構成を有する。
【００５７】
図３及び図４では、ある発光素子１０からある角度で出射された光の進行方向を、模擬的に矢印で示している。今、注目している発光素子１０が属する画素からの光として、青色の光を得たいとする。この場合、図３に示すように、本実施形態に係る構成では、発光素子１０に対するＣＦ３３ａの相対的な位置が水平面内において位置ずれ量Ｌだけずらされていることにより、当該発光素子１０から当該角度で出射された光が、ＣＦ３３Ｂを通過して表示装置１から出射される。従って、所望の青色の光を得ることができる。一方、図４に示すように、一般的な構成では、当該発光素子１０から当該角度で出射された光は、本来通過して欲しい青色のＣＦ３３Ｂではなく、隣接する画素の緑色のＣＦ３３Ｇを通過してしまう。従って、混色が発生してしまい、所望の青色の光を得ることができない。このように、本実施形態に係る構成によれば、当該発光素子１０からなる青色の画素は、ＣＦ３３Ｂの位置ずれ方向である紙面右方向において、より広い視野角を有すると言える。
【００５８】
このように、本実施形態では、ある画素について発光素子１０とＣＦ３３ａとの相対的な位置ずれを生じさせることにより、そのＣＦ３３ａの位置ずれ方向における当該画素の視野角特性を向上させることが可能になる。
【００５９】
ここで、表示装置１の表示面内の位置に応じて、各画素に求められる視野角特性は異なる。従って、本実施形態では、表示面内における発光素子１０の位置（すなわち、画素の位置）に応じて、当該画素において所望の視野角が得られるように、各画素におけるＣＦ３３ａの位置ずれ量Ｌ及び位置ずれ方向を設定する。つまり、本実施形態では、表示面内において、ＣＦ３３ａの位置ずれ量及び位置ずれ方向が分布を有する。
【００６０】
図５は、表示装置１の表示面内におけるＣＦ３３ａの位置ずれ量Ｌ及び位置ずれ方向の分布について説明するための図である。今、図１に示すように、電子機器に搭載された際に、表示装置１が、その表示面１０１が比較的狭い距離をおいて光学系１０５と対向して設置される場合を想定する。この場合、図５に示すように、表示装置１の表示面１０１内において、略中央付近の領域１０７に配置される画素からの出射光については、発光素子１０の発光面に略垂直な方向への出射光が光学系１０５に入射すればよいので、当該領域１０７に配置される画素からの出射光には、それ程広い視野角特性は必要でない。従って、領域１０７に配置される画素については、一般的な表示装置６と同様に、発光素子１０とＣＦ３３ａとの相対的な位置ずれを生じさせないように（すなわち、位置ずれ量Ｌ＝０として）、当該発光素子１０及び当該ＣＦ３３ａを配置する。
【００６１】
一方、表示装置１の表示面１０１内において、外周付近の領域１０９に配置される画素からの出射光については、当該表示面１０１の外縁に向かって出射される光が光学系１０５に入射する必要があるため、当該領域１０９に配置される画素からの出射光には、表示面１０１の外縁方向（図示する例であれば紙面右方向）についてより広い視野角特性が必要となる。従って、領域１０９に配置される画素については、図２及び図３を参照して説明した構成のように、所定の位置ずれ量Ｌ（Ｌ＞０）だけ、発光素子１０とＣＦ３３ａとの相対的な位置ずれを生じさせるように、発光素子１０及びＣＦ３３ａを配置する。また、この際、ＣＦ３３ａの位置ずれ方向が、表示面１０１の中心から当該画素が位置する方向になるようにする。これにより、領域１０９に配置される画素については、表示面１０１の外縁方向についてより広い視野角特性が実現されることとなる。
【００６２】
図５では、表示面１０１内の略中央付近の領域１０７及び外周付近の領域１０９における画素の構成しか図示していないが、本実施形態では、表示面１０１内の位置に応じて段階的に、すなわち、表示面１０１の中心から外縁に向かうほどＣＦ３３ａの位置ずれ量Ｌが大きくなるように、各画素を構成する。例えば、表示面１０１内を複数の領域に分割し、各領域の表示面１０１内の位置に応じて、当該領域ごとに位置ずれ量Ｌを設定する。また、ＣＦ３３ａの位置ずれ方向も、当該領域ごとに設定する。ここで、本実施形態では、簡易的に、ＣＦ３３ａの位置ずれ方向は、表示面１０１の横方向及び縦方向のいずれか一方のみとしている。当該構成によれば、表示面１０１面内におけるＣＦ３３ａの位置ずれ方向の分布をより容易に管理することができるため、設計が複雑化しない。
【００６３】
なお、上記の例では、図１に示すような表示装置１及び光学系１０５の配置を想定しているため、表示面１０１の中心から外縁に向かうほどＣＦ３３ａの位置ずれ量Ｌが大きくなるように各画素を構成したが、本実施形態はかかる例に限定されない。領域の分割の仕方や、各領域におけるＣＦ３３ａの位置ずれ量Ｌ及び位置ずれ方向（すなわち、表示面１０１内の位置に応じた各画素におけるＣＦ３３ａの位置ずれ量Ｌ及び位置ずれ方向の分布）は、電子機器内における表示装置１及び光学系１０５の位置関係に応じて、表示面１０１内の各画素について所望の視野角が得られるように、適宜設定すればよい。具体的には、ＣＦ３３ａの位置ずれ方向については、水平面内において視野角を得たい方向（すなわち、発光面に垂直な方向から所望の視野角の方向への傾き方向）に設定すればよい。ＣＦ３３ａの位置ずれ量Ｌの具体的な設定方法については、下記（３．ＣＦの位置ずれ量について）で改めて詳細に説明する。
【００６４】
領域ごとにＣＦ３３ａの位置ずれ量Ｌ及び／又は位置ずれ方向を変化させるためには、当該領域間に、ＣＦ３３ａの位置ずれ量Ｌ及び／又は位置ずれ方向が変化する遷移領域を設ければよい。具体的には、当該遷移領域は、ＣＦ３３ａの面積が、通常の画素に設けられる他のＣＦ３３ａの面積と異なる領域として形成される。図６及び図７は、ＣＦ３３ａの位置ずれ量Ｌ及び／又は位置ずれ方向が変化する遷移領域について説明するための図である。図６及び図７では、表示装置１のうち、ＣＦ３３ａの位置ずれ量Ｌが異なる２つの領域の境界近傍の構成を概略的に図示している。図６は上面図であり、ＣＦ３３ａの配列を示している。図７は側断面図であり、図６に示すＡ−Ａ断面に対応する断面の様子を示している。なお、図６においてハッチングを付していない領域は、ＣＦ３３ａが設けられない白色の画素に対応する領域である。また、図７では、図３と同様に、図２に示す表示装置１の構造を簡略化し、第１基板１１、発光素子１０、第２部材５２、及びＣＦ層３３のみを図示している。
【００６５】
図６及び図７では、一例として、ＣＦ３３ａの位置ずれ量Ｌ＝０である領域２０３と、当該領域２０３に隣接するＣＦ３３ａの位置ずれ量Ｌがゼロでない所定の値である領域２０５と、これらの領域２０３及び領域２０５の間に設けられる遷移領域２０１を示している。図示するように、遷移領域２０１は、ＣＦ３３ａの面積が、他の領域における通常のＣＦ３３ａの面積よりも広い領域として形成される。また、遷移領域２０１に位置するＣＦ３３ａは、位置ずれ方向に向かってその面積が拡大されるように形成される。これにより、領域２０５では、水平面内において、発光素子１０の発光面の中心よりも、ＣＦ３３ａの中心が、遷移領域２０１に位置するＣＦ３３ａの面積を拡大させた方向に、位置ずれ量Ｌ＞０だけずれて配置されることになる。図示しない他の領域間においても、同様の遷移領域２０１を設けることにより、領域ごとに位置ずれ量Ｌ及び／又は位置ずれ方向を変化させることが可能になる。
【００６６】
なお、上記の例では、表示面１０１内を複数の領域に分割し、各領域の表示面１０１内の位置に応じて、当該領域ごとに位置ずれ量Ｌ及び位置ずれ方向が設定されていたが、本実施形態はかかる例に限定されない。例えば、領域ごとではなく画素ごとに位置ずれ量Ｌ及び位置ずれ方向が設定され、当該画素の表示面１０１内の位置に応じて、当該画素ごとに連続的に位置ずれ量Ｌ及び位置ずれ方向を変化させてもよい。この場合であっても、各画素におけるＣＦ３３ａの位置ずれ量Ｌ及び位置ずれ方向は、電子機器内における表示装置１及び光学系１０５の位置関係に応じて、表示面１０１内の各画素について所望の視野角が得られるように、適宜設定すればよい。
【００６７】
以上、本実施形態に係る表示装置１の構成について説明した。以上説明したように、本実施形態によれば、表示装置１が、その表示面１０１内の画素の位置及び当該画素に求められる視野角に応じて、当該画素ごとに発光素子１０とＣＦ３３ａとの相対的な位置ずれが生じた構成を有する。従って、本実施形態によれば、混色を発生させることなく、より視野角特性の優れた表示装置１を実現することができる。
【００６８】
また、本実施形態では、発光素子１０とＣＦ３３ａとの相対的な位置ずれによって視野角特性の向上が実現され得るため、上記（１．本開示に想到した背景）で説明したような、視野角特性向上のためにこれまで提案されてきた構成（例えば、対向Ｇａｐの狭化や、発光面の面積の縮小）を取る必要がない。よって、発光素子１０（ＯＬＥＤ）の発光特性や保護性を低下させることなく、また、輝度の低下を招くことなく、視野角特性を向上させることが可能となる。
【００６９】
また、発光素子１０とＣＦ３３ａとの相対的な位置ずれは、ＣＦ層３３を形成する際に各ＣＦ３３ａの構成を変更するだけで実現可能であるため、本実施形態に係る表示装置１は、製造工程を増加させることなく、容易に作製可能である。よって、生産コストを増加させることなく、所望の効果を得ることができる。
【００７０】
また、一般的に、色ずれや混色が生じた場合には、駆動回路によって色補正処理が行われることがある。本実施形態によれば、視野角特性を向上させつつも、色ずれや混色の発生を好適に抑制することができるため、このような色補正処理を行う必要がなくなる。従って、駆動回路をより簡易に構成することが可能となるため、駆動回路の回路規模をより小さくすることができる。
【００７１】
なお、以上説明した実施形態では、ＣＦ３３ａの位置ずれ方向を、表示面１０１の横方向及び縦方向のいずれか一方のみとしていたが、本実施形態はかかる例に限定されない。例えば、ＣＦ３３ａの位置ずれ方向は、水平面内における２次元的な任意の方向であってもよい。当該構成によれば、画素ごとにＣＦ３３ａの位置ずれ方向をより詳細に設定することができるため、画素ごとの視野角の調整をより厳密に行うことが可能になる。
【００７２】
また、以上説明した実施形態では、表示装置１は、第１基板１１上にＣＦ層３３が形成されるＯＣＣＦ方式の表示装置であったが、本実施形態はかかる例に限定されない。本実施形態に係る表示装置１は、第２基板３４上にＣＦ層３３が形成され、当該ＣＦ層３３が発光素子１０と対向するように、第１基板１１と第２基板３４とが貼り合わされて作製される、いわゆる対向ＣＦ方式の表示装置であってもよい。
【００７３】
また、以上説明した実施形態では、表示装置１は、赤色の画素、緑色の画素、青色の画素、及び白色の画素の４色の副画素によって１つの画素が形成される構成であったが、本実施形態はかかる例に限定されない。他の画素構成を有する表示装置であっても、表示面内の少なくとも一部領域において発光素子１０とＣＦ３３ａとの相対的な位置ずれを生じさせることにより、同様に、視野角特性を向上させる効果を得ることができる。
【００７４】
また、表示装置１における画素の配列方法も、上述したデルタ配列に限定されない。例えば、ストライプ配列、ダイアゴナル配列、又はレクタングル配列等、他の画素配列であっても、同様の効果を得ることが可能である。
【００７５】
（３．ＣＦの位置ずれ量について）
ＣＦ３３ａの位置ずれ量Ｌの設定方法について説明する。上述したように、本実施形態では、ある画素におけるＣＦ３３ａの位置ずれ量Ｌを、当該画素に求められる視野角に応じて設定する。以下では、図８−図１１を参照して、ある１つの画素に注目して、当該画素に求められる視野角がθ０である場合における、当該画素でのＣＦ３３ａの位置ずれ量Ｌの設定方法について説明する。図８−図１１は、ＣＦ３３ａの位置ずれ量Ｌの設定方法について説明するための図である。図８−図１１では、いずれも、１つの発光素子１０の発光部２４、当該発光素子１０に対応して設けられる１つのＣＦ３３ａ（図示する例ではＣＦ３３Ｒ）、及び表示装置１の表示面１０１を模擬的に図示している。
【００７６】
図８−図１１に示すように、注目している画素の視野角がθ０である場合とは、発光部２４からの出射光が、ＣＦ３３Ｒ及びその他の媒質層（図２を参照して説明した第１部材５１や保護膜３１、平坦化膜３２等）を通過して、表示面１０１から出射される際に、当該表示面１０１に垂直な方向から角度θ０の方向に光が出射される場合を意味する。今、簡単のため、ＣＦ３３Ｒ以外の媒質層が均一の材料によって形成されているとし、その屈折率をｎ１、ＣＦ３３Ｒの屈折率をｎ２、表示面１０１よりも外側の空気層の屈折率をｎ０とすると、表示面１０１からの出射光が角度θ０を有する際の、発光部２４からの出射光の出射角（発光部２４の発光面に垂直な方向に対する出射光の角度）θ１は、屈折の法則から、下記数式（１）のように表現することができる。
【００７７】
【数１】
2017169563.tif 000003
【００７８】
換言すれば、発光部２４から出射角θ１で出射された光が、ＣＦ３３Ｒ及びその他の媒質層を通過して進めば、視野角θ０の光が表示面１０１から出射されることとなる。従って、表示面１０１において視野角θ０の光を得るためのＣＦ３３Ｒの位置ずれ量Ｌは、発光部２４から出射角θ１で出射された光が、ＣＦ３３Ｒ及びその他の媒質層を通過するような値として設定されればよい。ここで、図２を参照して説明したように、第１部材５１や保護膜３１等の媒質層は発光部２４の直上に存在しており、構造上、発光部２４からの出射光はこれらの媒質層を必ず通過するため、発光部２４からの出射光が当該媒質層を通過するための条件については考慮する必要がない。従って、結局、表示面１０１において視野角θ０の光を得るためのＣＦ３３Ｒの位置ずれ量Ｌは、発光部２４からの出射角θ１の出射光がＣＦ３３Ｒを通過するような値として設定されればよいことになる。そこで、本実施形態では、発光部２４からの出射角θ１の出射光が、ＣＦ３３Ｒの下面に入射するような値として、ＣＦ３３Ｒの位置ずれ量Ｌを設定することとする。
【００７９】
まず、簡単のため、発光部２４の発光面の中心の１点から光が出射されていると仮定し、この場合におけるＣＦ３３Ｒの位置ずれ量Ｌの範囲を設定する。このとき、ＣＦ３３Ｒの位置ずれ量Ｌの値が最も大きくなるのは、発光部２４の発光面の中心からの出射光がＣＦ３３Ｒの下面の当該発光部２４に近い側の端に入射する場合である。図８には、このような、発光部２４の発光面の中心からの出射光がＣＦ３３Ｒの下面の当該発光部２４に近い側の端（図示する例では左端）に入射する場合における、発光部２４及びＣＦ３３Ｒの位置関係、並びに光線の軌跡を示している。発光部２４及びＣＦ３３Ｒが図８に示す位置関係にあるとき、幾何的な考察から、ＣＦ３３Ｒの位置ずれ量Ｌは、下記数式（２）のように表現することができる。
【００８０】
【数２】
2017169563.tif 000004
【００８１】
ここで、ＣＦ３３Ｒの幅をｗ２、発光部２４表面からＣＦ３３Ｒ下面までの積層方向における距離をｇ１、発光部２４における発光位置から出射光がＣＦ３３Ｒに入射した位置までの水平面内における距離をｄとしている。
【００８２】
一方、発光部２４の発光面の中心の１点から光が出射されていると仮定した場合に、ＣＦ３３Ｒの位置ずれ量Ｌの値が最も小さくなるのは、発光部２４の発光面の中心からの出射光がＣＦ３３Ｒの下面の当該発光部２４から遠い側の端に入射する場合である。図９には、このような、発光部２４の発光面の中心からの出射光がＣＦ３３Ｒの下面の当該発光部２４から遠い側の端（図示する例では右端）に入射する場合における、発光部２４及びＣＦ３３Ｒの位置関係、並びに光線の軌跡を示している。発光部２４及びＣＦ３３Ｒが図９に示す位置関係にあるとき、幾何的な考察から、ＣＦ３３Ｒの位置ずれ量Ｌは、下記数式（３）のように表現することができる。
【００８３】
【数３】
2017169563.tif 000005
【００８４】
以上の考察から、発光部２４の発光面の中心の１点から光が出射されていると仮定した場合には、ＣＦ３３Ｒの位置ずれ量Ｌが下記数式（４）を満たすように当該位置ずれ量Ｌを設定すれば、表示面１０１からの出射光について視野角θ０を実現することができる。
【００８５】
【数４】
2017169563.tif 000006
【００８６】
ただし、実際には、発光部２４からは、その発光面の中心以外からも光が出射され得る。そこで、次に、発光部２４の発光面内における発光位置も更に考慮して、ＣＦ３３Ｒの位置ずれ量Ｌの範囲を更に詳細に設定する。発光部２４の発光面内における発光位置を考慮した場合に、ＣＦ３３Ｒの位置ずれ量Ｌの値が最も大きくなるのは、発光部２４の発光面のＣＦ３３Ｒに最も近い発光位置からの出射光がＣＦ３３Ｒの下面に入射する場合である。図１０には、このような、発光部２４の発光面のＣＦ３３Ｒに最も近い発光位置（図示する例では右端）からの出射光がＣＦ３３Ｒの下面に入射する場合における、発光部２４及びＣＦ３３Ｒの位置関係、並びに光線の軌跡を示している。なお、図１０では、一例として、図８に示す場合と同様に、発光部２４からの出射光がＣＦ３３Ｒの下面の当該発光部２４に近い側の端（図示する例では左端）に入射する場合における、発光部２４及びＣＦ３３Ｒの位置関係、並びに光線の軌跡を示している。発光部２４及びＣＦ３３Ｒが図１０に示す位置関係にあるとき、幾何的な考察から、ＣＦ３３Ｒの位置ずれ量Ｌは、下記数式（５）のように表現することができる。ここで、発光部２４の幅をｗ１としている。
【００８７】
【数５】
2017169563.tif 000007
【００８８】
一方、発光部２４の発光面内における発光位置を考慮した場合に、ＣＦ３３Ｒの位置ずれ量Ｌの値が最も小さくなるのは、発光部２４の発光面のＣＦ３３Ｒから最も遠い発光位置からの出射光がＣＦ３３Ｒの下面に入射する場合である。図１１には、このような、発光部２４の発光面のＣＦ３３Ｒから最も遠い発光位置（図示する例では左端）からの出射光がＣＦ３３Ｒの下面に入射する場合における、発光部２４及びＣＦ３３Ｒの位置関係、並びに光線の軌跡を示している。なお、図１１では、一例として、図８に示す場合と同様に、発光部２４からの出射光がＣＦ３３Ｒの下面の当該発光部２４に近い側の端（図示する例では左端）に入射する場合における、発光部２４及びＣＦ３３Ｒの位置関係、並びに光線の軌跡を示している。発光部２４及びＣＦ３３Ｒが図１１に示す位置関係にあるとき、幾何的な考察から、ＣＦ３３Ｒの位置ずれ量Ｌは、下記数式（６）のように表現することができる。
【００８９】
【数６】
2017169563.tif 000008
【００９０】
上記図１０及び図１１では、図８に示す場合を想定し、発光部２４からの出射光がＣＦ３３Ｒの下面の当該発光部２４に近い側の端に入射する場合における、ＣＦ３３Ｒの位置ずれ量Ｌを計算していたが、図９に示した、発光部２４からの出射光がＣＦ３３Ｒの下面の当該発光部２４から遠い側の端に入射する場合においても、同様のことが言える。従って、最終的に、表示面１０１からの出射光について視野角θ０を実現するために、ＣＦ３３Ｒの位置ずれ量Ｌが取り得る値の範囲は、下記数式（７）のように表現することができる。換言すれば、ＣＦ３３Ｒの位置ずれ量Ｌを、下記数式（７）を満たすように設定すれば、表示面１０１からの出射光について視野角θ０を実現することが可能になる。
【００９１】
【数７】
2017169563.tif 000009
【００９２】
以上、ＣＦ３３Ｒの位置ずれ量Ｌの設定方法について説明した。なお、上記の例では、簡単のため、媒質層を均一の材質として扱い、その屈折率をｎ２としてＣＦ３３ａの位置ずれ量Ｌが取り得る範囲を計算していたが、より厳密に当該位置ずれ量Ｌの範囲を求めたい場合には、図２に示すような実際の表示装置１の構造を想定し、各層の屈折率を考慮した上で同様の計算を行えばよい。
【００９３】
（４．変形例）
以上説明した実施形態についてのいくつかの変形例について説明する。
【００９４】
（４−１．発光素子とＣＦとの相対的な位置ずれの発生方法）
上述した実施形態では、発光素子１０とＣＦ３３ａとの相対的な位置ずれを発生させるために、図６及び図７を参照して説明したように、ＣＦ層３３にＣＦ３３ａの面積が他の通常のＣＦ３３ａの面積とは異なる遷移領域２０１を設けていた。しかし、本実施形態では、発光素子１０とＣＦ３３ａとの相対的な位置ずれの発生方法は上記の方法に限定されず、他の方法であってもよい。
【００９５】
図１２を参照して、発光素子１０とＣＦ３３ａとの相対的な位置ずれを他の方法によって生じさせる変形例について説明する。図１２は、発光素子１０とＣＦ３３ａとの相対的な位置ずれを生じさせる他の方法について説明するための図である。図１２では、図３及び図７と同様に、本変形例に係る表示装置１ａの積層方向における断面構造を簡略化し、第１基板１１、発光素子１０、第２部材５２、及びＣＦ層３３のみを図示している。なお、本変形例に係る表示装置１ａは、発光素子１０とＣＦ３３ａとの相対的な位置ずれの発生方法が異なること以外は、上記の実施形態に係る表示装置１と同様の構成を有する。従って、以下の本変形例についての説明では、上記の実施形態と相違する事項について主に説明することとし、上記の実施形態と相違する事項についてはその詳細な説明を省略する。
【００９６】
本変形例では、上記の実施形態と同様に、表示装置１ａの表示面内を複数の領域に分割し、各領域の表示面内の位置に応じて、当該領域ごとに位置ずれ量Ｌ及び位置ずれ方向が設定され得る。図１２では、図７と同様に、一例として、ＣＦ３３ａの位置ずれ量Ｌ＝０である領域２０３と、当該領域２０３に隣接するＣＦ３３ａの位置ずれ量Ｌがゼロでない所定の値である領域２０５と、これらの領域２０３及び領域２０５の間に設けられる遷移領域２０７を示している。図示するように、本変形例では、遷移領域２０７を、発光素子１０が配列されるピッチ（すなわち、画素間隔）が他の領域の通常のピッチよりも狭い領域として形成する。また、遷移領域２０７では、位置ずれ方向に向かって発光素子１０の配列ピッチが縮小されるように、当該画素間隔が調整される。これにより、領域２０５では、水平面内において、発光素子１０の配列ピッチを縮小させた方向に、発光部２４の発光面の中心よりも、ＣＦ３３ａの中心が、位置ずれ量Ｌ＞０だけずれて配置されることになる。図示しない他の領域間においても、同様の遷移領域２０７を設けることにより、領域ごとに位置ずれ量Ｌ及び／又は位置ずれ方向を変化させることが可能になる。
【００９７】
なお、本変形例においても、上記の実施形態と同様に、領域ごとではなく画素ごとに位置ずれ量Ｌ及び位置ずれ方向が設定され、当該画素の表示面内の位置に応じて、当該画素ごとに連続的に位置ずれ量Ｌ及び位置ずれ方向が変化してもよい。また、ＣＦ３３ａの位置ずれ方向は、表示面１０１の横方向及び縦方向のいずれか一方のみであってもよいし、水平面内の２次元的な任意の方向であってもよい。
【００９８】
更に、発光素子１０とＣＦ３３ａとの相対的な位置ずれを発生させる他の方法として、ＣＦ層３３内に、ＣＦ３３ａが設けられない領域を形成してもよい。例えば、上記の実施形態と同様に、表示装置の表示面内を複数の領域に分割し、各領域の表示面内の位置に応じて、当該領域ごとに位置ずれ量Ｌ及び位置ずれ方向を設定する場合において、その領域間の遷移領域を、ＣＦ３３ａが設けられない所定の距離の領域として形成する。例えば、遷移領域として当該ＣＦ３３ａが設けられない領域を発光素子１０の配列ピッチの１／３だけ設ければ、当該遷移領域の前後において、水平面内における発光素子１０の発光面の中心とＣＦ３３ａの中心とが、当該発光素子１０の配列ピッチの１／３だけ、当該ＣＦ３３ａが設けられない領域を形成した方向にずれることとなる。すなわち、遷移領域の前後において位置ずれ量Ｌ及び位置ずれ方向を変化させることができる。
【００９９】
（４−２．リフレクタが設けられない構成）
上述した実施形態では、輝度向上のために、画素間にリフレクタ５３を設けていた（図２を参照）。しかしながら、本実施形態はかかる例に限定されず、視野角特性向上という目的を達成するためには、リフレクタ５３は必ずしも設けられなくてもよい。
【０１００】
図１３を参照して、このような、リフレクタ５３が設けられない変形例について説明する。図１３は、リフレクタ５３が設けられない変形例に係る表示装置１ｂの一構成例を示す図である。図１３では、図３及び図７と同様に、本変形例に係る表示装置１ｂの積層方向における断面構造を簡略化し、第１基板１１、発光素子１０、第２部材５２ａ、及びＣＦ層３３のみを図示している。なお、本変形例に係る表示装置１ｂは、リフレクタ５３が設けられないこと以外は、上記の実施形態に係る表示装置１と同様の構成を有する。従って、以下の本変形例についての説明では、上記の実施形態と相違する事項について主に説明することとし、上記の実施形態と相違する事項についてはその詳細な説明を省略する。
【０１０１】
図１３に示すように、本変形例に係る表示装置１ｂでは、上記の実施形態に係る表示装置１の第２部材５２の代わりに、画素間に設けられ、画素を規定する画素定義膜として機能する第２部材５２ａが設けられる。第２部材５２ａは、上記の実施形態における第２部材５２よりも膜厚が薄い層として形成される。そのため、発光素子１０の発光部の直上の領域である第２部材５２ａの開口部について、その側壁の面積が十分確保されず（すなわち、第２部材５２ａの開口部に埋め込まれる第１部材について、高さ、並びに光の入射面及び出射面の面積に、上述したような関係が十分確保されず）、第２部材５２ａの表面はリフレクタとして機能し得ない。つまり、表示装置１ｂは、リフレクタが設けられない表示装置である。
【０１０２】
このような、リフレクタが設けられない表示装置１ｂであっても、上記の実施形態と同様に、発光素子１０とＣＦ３３ａとの相対的な位置ずれを発生させることにより、その相対的にＣＦ３３ａがずれた方向において、当該発光素子からなる画素について広視野角特性を向上させることが可能になる。つまり、上記の実施形態と同様の効果を得ることができる。
【０１０３】
（４−３．位置ずれ量Ｌの他の設定方法）
上記（３．ＣＦの位置ずれ量について）で説明したように、上述した実施形態では、発光部２４からの出射光がＣＦ３３Ｒの下面に入射する条件を規定することにより、ＣＦ３３ａの位置ずれ量Ｌを設定していた。しかしながら、本実施形態はかかる例に限定されない。例えば、発光部２４からの出射光の特性、及びＣＦ３３ａの特性等によっては、発光部２４からの出射光がＣＦ３３ａの側面に入射した場合であっても、色変換が適切に行われ、所望の特性の光を表示面１０１から出射させることが可能であると考えられる。従って、発光部２４からの出射光がＣＦ３３ａの側面に入射する場合も考慮して、ＣＦ３３ａの位置ずれ量Ｌを設定してもよい。
【０１０４】
図１４を参照して、このような、発光部２４からの出射光がＣＦ３３ａの側面に入射する場合も考慮してＣＦ３３ａの位置ずれ量Ｌを設定する変形例について説明する。図１４は、発光部２４からの出射光がＣＦ３３ａの側面に入射する場合も考慮したＣＦ３３ａの位置ずれ量Ｌの設定方法について説明するための図である。図１４では、図８−図１１と同様に、本変形例に係る表示装置に設けられる１つの発光素子１０の発光部２４、当該発光素子１０に対応して設けられる１つのＣＦ３３ａ（図示する例ではＣＦ３３Ｒ）、及び当該表示装置の表示面１０１を模擬的に図示している。また、媒質層を屈折率ｎ２の均一の材料からなる層として扱っている。
【０１０５】
ここでは、簡単のため、発光部２４の発光面の中心の１点から光が出射されていると仮定する。このとき、発光部２４からの出射光がＣＦ３３ａの側面に入射する場合において、ＣＦ３３Ｒのずれ量Ｌの値が最も大きくなるのは、発光部２４からの出射光がＣＦ３３ａの側面の上端近傍に入射する場合である。ここでは、簡単のため、発光部２４からの出射光がＣＦ３３ａの側面の上端に入射する場合を仮定する。図１４には、このような、発光部２４からの出射光がＣＦ３３Ｒの側面の上端に入射する場合における、発光部２４及びＣＦ３３Ｒの位置関係、並びに光線の軌跡を示している。発光部２４及びＣＦ３３Ｒが図１４に示す位置関係にあるとき、幾何的な考察から、ＣＦ３３Ｒの位置ずれ量Ｌは、下記数式（８）のように表現することができる。
【０１０６】
【数８】
2017169563.tif 000010
【０１０７】
ここで、ＣＦ３３Ｒの厚みをｈ２、発光部２４における発光位置から出射光がＣＦ３３Ｒに入射した位置までの水平面内における距離ｄのうち、発光部２４表面からＣＦ３３Ｒ下面までの積層方向における距離ｇ１に対応する部分の長さをｄ１、当該距離ｄのうちＣＦ３３Ｒの厚みｈ２に対応する部分の長さをｗｐとしている。
【０１０８】
このように、発光部２４からの出射光がＣＦ３３ａの側面に入射する場合まで考慮することにより、ＣＦ３３Ｒのずれ量Ｌの取り得る範囲の上限値はより大きくなる。図１４では、発光部２４の発光面の中心の１点から光が出射されていると仮定していたが、上記（３．ＣＦの位置ずれ量について）での検討と同様に、当該発光面内の他の部位から発光する場合も考慮すれば、最終的に、ＣＦ３３Ｒのずれ量Ｌの取り得る範囲は、下記数式（９）のように表現できる。換言すれば、本変形例では、ＣＦ３３Ｒの位置ずれ量Ｌを、下記数式（９）を満たすように設定すれば、表示面１０１からの出射光について視野角θ０を実現することが可能になる。なお、実際には、発光部２４からの出射光がＣＦ３３ａの側面の「上端近傍」に入射しないと、当該出射光がＣＦ３３ａを通過せず、色変換が適切に行われないため、下記数式（９）においては、発光部２４からの出射光がＣＦ３３ａの側面の「上端」に入射する場合、すなわちＬが上限値と等しくなる場合は除外している。
【０１０９】
【数９】
2017169563.tif 000011
【０１１０】
なお、ＣＦ３３ａの位置ずれ量Ｌの他の設定方法として、これまで説明したように解析的に当該位置ずれ量Ｌを設定するのではなく、光学シミュレーション、及びその結果に基づいて作製されたサンプルを用いた実験を繰り返し行うことにより、試行錯誤的に最適なＣＦ３３ａの位置ずれ量及び位置ずれ方向、並びにその表示面内での分布を求めてもよい。
【０１１１】
以上、本実施形態についてのいくつかの変形例について説明した。なお、以上説明した、本実施形態に係る表示装置が有し得る各構成、及び各変形例に係る表示装置が有し得る各構成は、可能な範囲で互いに組み合わせて適用することが可能である。例えば、発光素子１０とＣＦ３３ａとの相対的な位置ずれを生じさせるために、上述した各方法が適宜組み合わされてもよい。
【０１１２】
（５．適用例）
以上説明した実施形態及び各変形例に係る表示装置の適用例について説明する。ここでは、以上説明した実施形態及び各変形例に係る表示装置が適用され得る電子機器のいくつかの例について説明する。
【０１１３】
図１５は、本実施形態及び各変形例に係る表示装置が適用され得る電子機器の一例である、スマートフォンの外観を示す図である。図１５に示すように、スマートフォン３０１は、ボタンから構成されユーザによる操作入力を受け付ける操作部３０３と、各種の情報を表示する表示部３０５と、を有する。当該表示部３０５が、本実施形態及び各変形例に係る表示装置によって構成され得る。
【０１１４】
図１６及び図１７は、本実施形態及び各変形例に係る表示装置が適用され得る電子機器の他の例である、デジタルカメラの外観を示す図である。図１６は、デジタルカメラ３１１を前方（被写体側）から眺めた外観を示しており、図１７は、デジタルカメラ３１１を後方から眺めた外観を示している。図１６及び図１７に示すように、デジタルカメラ３１１は、本体部（カメラボディ）３１３と、交換式のレンズユニット３１５と、撮影時にユーザによって把持されるグリップ部３１７と、各種の情報を表示するモニタ３１９と、撮影時にユーザによって観察されるスルー画を表示するＥＶＦ３２１と、を有する。当該モニタ３１９及びＥＶＦ３２１が、本実施形態及び各変形例に係る表示装置によって構成され得る。
【０１１５】
図１８は、本実施形態及び各変形例に係る表示装置が適用され得る電子機器の他の例である、ＨＭＤの外観を示す図である。図１８に示すように、ＨＭＤ３３１は、各種の情報を表示する眼鏡形の表示部３３３と、装着時にユーザの耳に掛止される耳掛け部３３５と、を有する。当該表示部３３３が、本実施形態及び各変形例に係る表示装置によって構成され得る。
【０１１６】
以上、本実施形態及び各変形例に係る表示装置が適用され得る電子機器のいくつかの例について説明した。なお、本実施形態及び各変形例に係る表示装置が適用され得る電子機器は上記で例示したものに限定されず、当該表示装置は、テレビジョン装置、電子ブック、ＰＤＡ、ノート型ＰＣ、ビデオカメラ、ＨＭＤ、又はゲーム機器等、外部から入力された画像信号又は内部で生成した画像信号に基づいて表示を行うあらゆる分野の電子機器に搭載される表示装置に適用することが可能である。
【実施例】
【０１１７】
上述した本実施形態に係る表示装置１による視野角特性向上の効果について確認するために、以下の実験を行った。当該実験では、図２に示す本実施形態に係る表示装置１の構成と同様の構成を有する表示装置のサンプルを作成し、実際に当該表示装置を駆動させ、その表示面から出射される光の視野角に応じた色度の違いを測定した。発光画素としては、赤色、緑色、青色及び白色の４色の副画素をまとめて１画素とする構成とした（すなわち、ＣＦとしては赤色、緑色及び青色の３色を用いた）。４色の副画素からなる画素間の間隔は６．８μｍとした。また、ＣＦの膜厚は２μｍとした。【０１１８】
ただし、作製した表示装置では、その表示面内の一部にのみ、図６及び図７に示す構成と同様の構成によって、発光素子とＣＦとの相対的な位置ずれを位置ずれ量Ｌだけ生じさせた領域を形成し、他の領域では、一般的な構成と同様に、発光素子とＣＦとの相対的な位置ずれを生じさせず、水平面内における発光素子の発光面の中心とＣＦの中心とを略一致させた（すなわち、位置ずれ量Ｌ＝０とした）。本実験では、表示面における所望の視野角を３０°に設定し、上記の発光素子とＣＦとの相対的な位置ずれを生じさせた領域では、そのＣＦの位置ずれ方向を、この視野角を得たい方向と同じ方向とした。また、当該領域における位置ずれ量Ｌは、作製した表示装置の各層の屈折率や厚み等を考慮して、上記（３．ＣＦの位置ずれ量について）で説明した方法によって設定した。具体的には、上記数式（７）を満たす値として、Ｌ＝０．６μｍとした。【０１１９】
この表示装置を実際に駆動させ、その表示面からの出射光について、分光光度計（コニカミノルタ社製のＣＳ−２０００）により、赤色、緑色及び青色の各色のｕ’ｖ’色度点を測定した。ｕ’ｖ’色度点は、発光素子とＣＦとの相対的な位置ずれを生じさせた領域（位置ずれ発生領域）からの出射光について視野角３０°に相当する位置、発光素子とＣＦとの相対的な位置ずれを生じさせなかった領域（位置ずれ非発生領域）からの出射光について視野角３０°に相当する位置、及び位置ずれ非発生領域からの出射光について視野角０°に相当する位置において、それぞれ測定を行った。結果を下記表１に示す。【０１２０】
【表１】
2017169563.tif 000012
【０１２１】
上記表１において、位置ずれ発生領域における視野角３０°に相当する位置でのｕ’ｖ’色度点の測定値に注目すると、位置ずれ非発生領域における視野角０°に相当する位置でのｕ’ｖ’色度点と略同等の値が得られていることが分かる。当該結果から、本実施形態に係る構成を適用することにより、所望の視野角において、正面から表示面を見た場合と同等のｕ’ｖ’色度点の値を得ることができ、視野角特性の向上が実現できていることが分かる。【０１２２】
一方、位置ずれ非発生領域における視野角３０°に相当する位置でのｕ’ｖ’色度点の測定値と、位置ずれ非発生領域における視野角０°に相当する位置でのｕ’ｖ’色度点とを比較すると、特に青色のｖ’色度点の値が、０．１２と大きく異なっていることが分かる。一般的に、ｕ’ｖ’色度点が０．０５以上変化すると、ヒトは色の変化を認知できると言われているため、この結果は、位置ずれ非発生領域からの出射光については、視野角０°の場合と３０°の場合とで、ユーザにとって明確に認知できる程度に色が変化してしまう可能性があることを示している。【０１２３】
以上の結果から、本実施形態に係る表示装置１を用いることにより、視野角特性を向上させることが可能になることが確認できた。【０１２４】
（６．補足）
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。【０１２５】
例えば、以上では、本開示の一例として、表示装置が有機ＥＬディスプレイである実施形態について説明したが、本開示はかかる例に限定されない。本開示の対象となる表示装置は、液晶ディスプレイ、プラズマディスプレイ及び電子ペーパー等、ＣＦを用いてカラー表示を実現し得る表示装置であれば、各種の表示装置であってよい。これらの他の表示装置においても、表示面内の少なくとも一部の領域において、積層方向と垂直な面内において光出射部の発光面の中心と当該光出射部に対応するＣＦの中心との相対的な位置ずれが生じるように、当該光出射部及び当該ＣＦを配置することにより、上述した実施形態と同様の効果を得ることが可能になる。ここで、光出射部とは、表示装置の各画素において、外部に向かって光を出射する部位のことである。例えば、以上説明した実施形態のような有機ＥＬディスプレイであれば、当該光出射部は発光素子に対応する。また、例えば、液晶ディスプレイであれば、当該光出射部は、液晶パネルのうち１つの画素に対応する領域に対応する。また、例えば、プラズマディスプレイであれば、当該光出射部は、プラズマディスプレイパネルのうち１つの放電セルに対応する領域に対応する。【０１２６】
また、本明細書に記載された効果は、あくまで説明的又は例示的なものであって限定的なものではない。つまり、本開示に係る技術は、上記の効果とともに、又は上記の効果に代えて、本明細書の記載から当業者には明らかな他の効果を奏し得る。【０１２７】
なお、以下のような構成も本開示の技術的範囲に属する。
（１）
基板上に形成される複数の光出射部と、
前記光出射部の上層に、複数の前記光出射部の各々に対応して設けられるカラーフィルタと、
を備え、
表示面内の少なくとも一部の領域において、積層方向と垂直な面内において前記光出射部の発光面の中心と前記光出射部に対応する前記カラーフィルタの中心との相対的な位置ずれが生じるように、前記光出射部及び前記カラーフィルタが配置される、
表示装置。
（２）
複数の前記カラーフィルタの面積が前記表示面内で分布を有することにより、前記相対的な位置ずれが生じる、
前記（１）に記載の表示装置。
（３）
前記表示面内に複数の領域が設定され、隣り合う前記領域間に位置する前記カラーフィルタの面積が、他の前記カラーフィルタの面積と異なることにより、領域ごとに互いに異なる位置ずれ量で、前記相対的な位置ずれが生じる、
前記（２）に記載の表示装置。
（４）
複数の前記カラーフィルタの面積が前記表示面内で徐々に変化することにより、前記相対的な位置ずれが生じる、
前記（２）に記載の表示装置。
（５）
前記基板上において前記光出射部が配列されるピッチが、少なくとも一部領域において他の領域における前記ピッチと異なることにより、前記相対的な位置ずれが生じる、
前記（１）〜（４）のいずれか１項に記載の表示装置。
（６）
前記相対的な位置ずれの位置ずれ量は、前記表示面の外縁に向かうにつれて大きくなる、
前記（１）〜（５）のいずれか１項に記載の表示装置。
（７）
前記相対的な位置ずれにおける位置ずれ量、及び積層方向と垂直な面内における前記光出射部の発光面の中心に対する前記光出射部に対応する前記カラーフィルタの中心の位置ずれ方向は、前記相対的な位置ずれが生じている前記光出射部及び前記カラーフィルタによって構成される画素に求められる視野角に応じて設定される、
前記（１）〜（６）のいずれか１項に記載の表示装置。
（８）
前記相対的な位置ずれにおいて、積層方向と垂直な面内における前記光出射部の発光面の中心に対する前記光出射部に対応する前記カラーフィルタの中心の位置ずれ方向は、前記表示面の中心から、前記表示面内において前記相対的な位置ずれが生じている前記光出射部及び前記カラーフィルタが存在する位置に向かう方向である、
前記（１）〜（７）のいずれか１項に記載の表示装置。
（９）
前記光出射部の直上に設けられ、上方に向かうにつれて積層方向と垂直な面内方向の断面積が徐々に大きくなる略切頭錐体形状を有し、前記光出射部からの出射光を伝播する第１部材と、
隣り合う前記光出射部の間において、前記第１部材と前記第１部材との間に設けられる第２部材と、
を更に備え、
前記第１部材の屈折率は、前記第２部材の屈折率よりも大きい、
前記（１）〜（８）のいずれか１項に記載の表示装置。
（１０）
前記光出射部は、有機発光ダイオードからなる発光素子であり、
前記表示装置は、有機ＥＬディスプレイである、
前記（１）〜（９）のいずれか１項に記載の表示装置。
（１１）
画像信号に基づいて表示を行う表示装置、
を備え、
前記表示装置は、
基板上に形成される複数の光出射部と、
前記光出射部の上層に、複数の前記光出射部の各々に対応して設けられるカラーフィルタと、
を備え、
表示面内の少なくとも一部の領域において、積層方向と垂直な面内において前記光出射部の発光面の中心と前記光出射部に対応する前記カラーフィルタの中心との相対的な位置ずれが生じるように、前記光出射部及び前記カラーフィルタが配置される、
電子機器。
【符号の説明】
【０１２８】
１、１ａ、１ｂ    表示装置
１０    発光素子
１１    第１基板
１５    ＴＦＴ
２１    第１電極
２２    第２電極
２３    有機層
２４    発光部
２５    開口部
３１    保護膜
３２    平坦化膜
３３    ＣＦ層
３３Ｒ、３３Ｇ、３３Ｂ    ＣＦ
３４    第２基板
３５    封止樹脂膜
５１    第１部材
５２    第２部材
５３    リフレクタ
１０１    表示面
３０１    スマートフォン（電子機器）
３１１    デジタルカメラ（電子機器）
３３１    ＨＭＤ（電子機器）
【図１】
2017169563.tif 000013
【図２】
2017169563.tif 000014
【図３】
2017169563.tif 000015
【図４】
2017169563.tif 000016
【図５】
2017169563.tif 000017
【図６】
2017169563.tif 000018
【図７】
2017169563.tif 000019
【図８】
2017169563.tif 000020
【図９】
2017169563.tif 000021
【図１０】
2017169563.tif 000022
【図１１】
2017169563.tif 000023
【図１２】
2017169563.tif 000024
【図１３】
2017169563.tif 000025
【図１４】
2017169563.tif 000026
【図１５】
2017169563.tif 000027
【図１６】
2017169563.tif 000028
【図１７】
2017169563.tif 000029
【図１８】
2017169563.tif 000030
【国際調査報告】
2017169563.tif 000031
2017169563.tif 000032
2017169563.tif 000033
2017169563.tif 000034